(57)【要約】小さな記録担体においては、記録担体の内側セクションが記憶容量の多寡に重要な意味を有する。しかし、通常のＥＣＣブロックは、記録担体の１回転以上の長さにわたるため、１個のＥＣＣブロック内で複数のバーストエラーが生じる原因となる。２種類のＥＣＣブロック・サイズを用いることで、複数バーストエラーを防ぐことができる。ディスクの内側環状セクションの小さなＥＣＣブロックから外側環状セクションの大きなＥＣＣブロックへの移行部を、外側環状セクションのＥＣＣブロックが記録担体の一回転分の長さを占める位置に配置する。この方法により、大小２種のＥＣＣブロック間の最適な分割が実現され、記憶容量とエラー訂正能力を最適化することができる。
2007528088.tif 000002
【特許請求の範囲】
【請求項１】
あるサイズを有する第１ＥＣＣブロックを備え、外周縁を有する第１環状セクションと、前記第１環状セクションの外周に隣接する内周縁を有する第２環状セクションとを備え、この第２環状セクションが第１ＥＣＣブロックのサイズよりも大きいサイズの第２ＥＣＣブロックを備える記録担体において、第２ＥＣＣブロック・サイズが第２環状セクションの内周縁の長さと等しくなる位置に、第１の環状領域の外周縁を配置したことを特徴とする記録担体。
【請求項２】
第１ＥＣＣブロックは第１エラー訂正コードを使用して記録し、第２ＥＣＣブロックは第２エラー訂正コードを使用して記録し、また、第１エラー訂正コードが第２エラー訂正コードと同等のエラー訂正能力を有するものとした請求項１に記載の記録担体。
【請求項３】
−ある外周縁を有する第１環状セクションに、第１ＥＣＣブロック・サイズを用いてＥＣＣブロックを記録するステップと、
−第１環状セクションの外周縁と隣接する内周縁を有する第２環状セクションに、第１ＥＣＣブロック・サイズよりも大きいサイズの第２ＥＣＣブロックを用いてＥＣＣブロックを記録するステップと
からなる記録担体の情報記録方法において、
第２ＥＣＣブロックサイズの大きさが第２環状セクションの内周縁の長さと等しくなる位置に、第１環状セクションの外周縁を配置することを特徴とする記録担体の情報記録方法。
【請求項４】
第１環状セクションではＥＣＣブロックは第１のエラー訂正コードを用いて記録し、第２の環状セクションではＥＣＣブロックは第２エラー訂正コードを用いて記録し、また、第１エラー訂正コードは第２エラー訂正コードと同等のエラー訂正能力を有するものとした請求項３に記載の方法。
【請求項５】
あるサイズを有する第１ＥＣＣブロックを備え外周縁を有する第１環状セクションと、その第１環状セクションの外周縁と隣接する内周縁を有する第２環状セクションとを備え、その第２環状セクションは、第１のＥＣＣブロック・サイズよりも大きいサイズの第２ＥＣＣブロックを備える記録担体に情報を記録するための記録装置であって、書き込み手段に接続したプロセッサ手段に対して接続したエラー訂正装置を備えた該記録装置において、前記プロセッサ手段は、各ＥＣＣブロックを書き込み手段に供給することにより、第２ＥＣＣブロック・サイズが第２環状セクションの内周縁に等しくなる位置に、第１環状セクションの外周縁の位置を定める機能をなすよう構成したことを特徴とする記録装置。
【請求項６】
プロセッサは、第１環状セクションに第１ＥＣＣブロックを記録する際には、エラー訂正手段から第１エラー訂正コードを有する第１ＥＣＣブロックを受け取るように構成し、さらに、プロセッサ手段は、第２環状セクションに第２ＥＣＣブロックを記録する際には、エラー訂正手段から第２エラー訂正コードを有する第２ＥＣＣブロックを受け取るよう構成し、しかも、第１エラー訂正コードは第２エラー訂正コードと同等のエラー訂正能力を持つものとした請求項５記載の記録装置。
【発明の詳細な説明】
【技術分野】
【０００１】
本発明は、あるサイズを有する第１ＥＣＣブロックを備え、外周縁を有する第１環状セクションと、前記第１環状セクションの外周に隣接する内周縁を有する第２環状セクションとを備え、この第２環状セクションが第１ＥＣＣブロックのサイズよりも大きいサイズの第２ＥＣＣブロックを備える記録担体に関するものである。
【０００２】
このような記録担体は、国際公開第０１／９３２６２号パンフレットから既知でありこの国際公開パンフレットには、異なるサイズのＥＣＣブロックを有する環状領域を含む記録担体が開示されている。
国際公開第０１／９３２６２号は、小さな記録担体において、利用可能な記憶容量をより効率的に増大することを目的としている。
【０００３】
この目的は、通常のＥＣＣブロックよりも小さな単位でデータが記録される領域において、ＥＣＣブロックのサイズを縮小することによって達成される。
この従来例は、比較的バイト数の少ない、ファイルシステム属性域やリンキング・セクターである。メインファイルシステム領域は記録担体の外周縁にあり、ファイルシステムのコピーが記録担体の中心近くに記録される。
【０００４】
メインユーザーデータ領域はこれら２つのファイルシステム領域の中間に位置し、通常サイズのＥＣＣブロックを使用する。
【０００５】
この記録担体には、ファイルシステム情報量が、小さなＥＣＣブロックを使用する環状領域の大きさを決定するという欠点がある。小さなＥＣＣブロックのエラー訂正能力（error correction capabilities）は、より大きなＥＣＣブロックに比べると低下する。更なるエラー訂正能力を新たに追加すると、オーバーヘッドが増加するため、小さなＥＣＣブロックが使用される環状領域に保存できる情報量は減少する。
【発明の開示】
【発明が解決しようとする課題】
【０００６】
本発明の目的は、記録担体上の利用可能領域を最適に使用しつつ、小さなＥＣＣブロックにおいても適切なエラー訂正能力を確保することである。
【課題を解決するための手段】
【０００７】
この目的を達成するため、本発明記録担体は、第２ＥＣＣブロック・サイズが第２環状セクションの内周縁の長さと等しくなる位置に、第１の環状領域の外周縁を配置したことを特徴とする。
【発明の効果】
【０００８】
大きなＥＣＣブロックを記録担体の中心近くの環状セクションで使用すれば、ひとつのＥＣＣブロックが、記録担体の１回転分以上にあたる領域を占めることになる。これは、同一表面部分における表面欠陥、指紋、またはほこりによって、同一ＥＣＣブロック内で２つのバーストエラーを生じる原因になる。
【０００９】
これによって、このＥＣＣブロックのエラー訂正能力は事実上半減してしまう。といって、かりにたとえばＥＣＣブロック・サイズを半分にすれば、エラー補正能力はやはり半減してしまう。
【００１０】
第１環状セクションから第２環状セクションへの移行部を、第２ＥＣＣブロックの１個分の長さが、第２環状セクションの内周縁にちょうど一致するような位置に位置決めすれば、大きなＥＣＣブロックが使用される領域を、エラー訂正能力を減ずることなく、最大にすることができる。
【００１１】
移行部を記録担体の中心により近い位置に選ぶと、大きなＥＣＣブロックは記録担体の１回転分以上を占めることになる。この結果、ＥＣＣブロックのオーバーラップを生じる。すなわち、ＥＣＣブロックの一部が、同じＥＣＣブロックの他の部分と直接隣接する。
【００１２】
指紋やほこりがこのオーバーラップ部分にあると、そのＥＣＣブロックで１個のみならず２個のバーストエラーが発生することになる。すると、ＥＣＣブロックのエラー訂正能力は減少する。
【００１３】
もし移行部を記録担体の中心からより一層離れた位置に選択すれば、小さなＥＣＣブロックの小ささに起因する非効率が、記録担体上で、より大きなＥＣＣブロックを使えばもっと効果的なエラー訂正能力が発揮でき、しかも、大きなＥＣＣブロックが１回転以上にわたることもないため、バーストエラーが２重に起こることもないはずの領域にまで広がってしまう。
【００１４】
したがって、大きなＥＣＣブロック１個分の長さが、第２環状セクションの内周縁にちょうど一致するような位置に移行部を位置決めすることで、エラー訂正能力と情報記憶の効率性の最適なバランスを実現できる。
【発明を実施するための最良の形態】
【００１５】
本発明記録担体他の好適な実施例においては、第１ＥＣＣブロックは第１エラー訂正コードを使用して記録し、第２ＥＣＣブロックは第２エラー訂正コードを使用して記録し、また、第１エラー訂正コードが第２エラー訂正コードと同等のエラー訂正能力を有するものとする。
【００１６】
記録担体の第１および第２の環状セクションで同等のエラー訂正能力を得るためには、増大したオーバーヘッドのため、より多くの冗長性を有して小さなＥＣＣブロックを記録される。
【００１７】
これによって記憶容量が減少するものの、この減少は、第１環状セクションから第２環状セクションへの移行部の最適選択によって制限できる。
【００１８】
さらに、本発明は、−ある外周縁を有する第１環状セクションに、第１ＥＣＣブロック・サイズを用いてＥＣＣブロックを記録するステップと、
−第１環状セクションの外周縁と隣接する内周縁を有する第２環状セクションに、第１ＥＣＣブロック・サイズよりも大きいサイズの第２ＥＣＣブロックを用いてＥＣＣブロックを記録するステップと
からなる記録担体の情報記録方法において、
第２ＥＣＣブロックサイズの大きさが第２環状セクションの内周縁の長さと等しくなる位置に、第１環状セクションの外周縁を配置することを特徴とする。
【００１９】
大きなＥＣＣブロックを記録担体の中心近くの環状セクションで使用すれば、ひとつのＥＣＣブロックが、記録担体の１回転分以上にあたる領域を占めることになる。これは、同一表面部分における表面欠陥、指紋、またはほこりによって、同一ＥＣＣブロック内で２つのバーストエラーを生じる原因になる。
これによって、このＥＣＣブロックのエラー訂正能力は事実上半減してしまう。といって、かりにたとえばＥＣＣブロック・サイズを半分にすれば、エラー補正能力はやはり半減してしまう。
。
【００２０】
第１環状セクションから第２環状セクションへの移行部を、第２ＥＣＣブロックの１個分の長さが、第２環状セクションの内周縁にちょうど一致するような位置に位置決めすれば、大きなＥＣＣブロックが使用される領域を、エラー訂正能力を減ずることなく、最大にすることができる。
【００２１】
移行部を記録担体の中心により近い位置に選ぶと、大きなＥＣＣブロックは記録担体の１回転分以上を占めることになる。この結果、ＥＣＣブロックのオーバーラップを生じる。すなわち、ＥＣＣブロックの一部が、同じＥＣＣブロックの他の部分と直接隣接する。
【００２２】
指紋やほこりがこのオーバーラップ部分にあると、そのＥＣＣブロックで１個のみならず２個のバーストエラーが発生することになる。すると、ＥＣＣブロックのエラー訂正能力は減少する。
【００２３】
もし移行部を記録担体の中心からより一層離れた位置に選択すれば、小さなＥＣＣブロックの小ささに起因する非効率が、記録担体上で、より大きなＥＣＣブロックを使えばもっと効果的なエラー訂正能力が発揮でき、しかも、大きなＥＣＣブロックが１回転以上にわたることもないため、バーストエラーが２重に起こることもないはずの領域にまで広がってしまう。
【００２４】
したがって、大きなＥＣＣブロック１個分の長さが、第２環状セクションの内周縁にちょうど一致するような位置に移行部を位置決めすることで、エラー訂正能力と情報記憶の効率性の最適なバランスを実現できる。
【００２５】
本発明方法の好適な実施例においては、第１環状セクションではＥＣＣブロックは第１のエラー訂正コードを用いて記録し、第２の環状セクションではＥＣＣブロックは第２エラー訂正コードを用いて記録し、また、第１エラー訂正コードは第２エラー訂正コードと同等のエラー訂正能力を有するものとした請求項３に記載の方法。
【００２６】
記録担体の第１および第２の環状セクションで同等のエラー訂正能力を得るためには、増大したオーバーヘッドのため、より多くの冗長性を有して小さなＥＣＣブロックを記録される。
【００２７】
これによって記憶容量が減少するものの、この減少は、第１環状セクションから第２環状セクションへの移行部の最適選択によって制限できる。
【００２８】
さらにまた、本発明は、あるサイズを有する第１ＥＣＣブロックを備え外周縁を有する第１環状セクションと、その第１環状セクションの外周縁と隣接する内周縁を有する第２環状セクションとを備え、その第２環状セクションは、第１のＥＣＣブロック・サイズよりも大きいサイズの第２ＥＣＣブロックを備える記録担体に情報を記録するための記録装置であって、書き込み手段に接続したプロセッサ手段に対して接続したエラー訂正装置を備えた該記録装置において、前記プロセッサ手段は、各ＥＣＣブロックを書き込み手段に供給することにより、第２ＥＣＣブロック・サイズが第２環状セクションの内周縁に等しくなる位置に、第１環状セクションの外周縁の位置を定める機能をなすよう構成したことを特徴とする記録装置。
【００２９】
記録装置が記録担体の中心近くに大きなＥＣＣブロックを書き込むとすると、ひとつのＥＣＣブロックは記録担体の１回転分以上を占めることになる。これは、たとえば記録装置に内蔵された再生装置において、同一表面部分における表面欠陥、指紋、またはほこりによって同一ＥＣＣブロック内で２つのバーストエラーに遭遇する結果となる。これにより、再生装置が持つＥＣＣブロックのエラー訂正能力が半減してしまう。
【００３０】
しかしながら、国際公開第０１／９３２６２号のようにＥＣＣブロック・サイズをたとえば半分にしてしまうと、エラー訂正能力もやはり半分になる。
【００３１】
記録装置が、第１環状セクションから第２環状セクションへの移行部を、第２ＥＣＣブロックの１個分の長さが、第２環状セクションの内周縁にちょうど一致するような位置に位置決めするようにすれば、大きなＥＣＣブロックが使用される領域を、エラー訂正能力を減ずることなく、最大にすることができる。
【００３２】
移行部を記録担体の中心により近い位置に選べば、大きなＥＣＣブロックは記録担体の１回転分以上を占めることになってしまう。この結果、ＥＣＣブロックのオーバーラップを生じる。すなわち、ＥＣＣブロックの一部が、同じＥＣＣブロックの他の部分と直接隣接する。
【００３３】
指紋やほこりがこののオーバーラップ部分にあると、そのＥＣＣブロックで１個のみならず２個のバーストエラーが発生することになる。すると、ＥＣＣブロックのエラー訂正能力は減少する。
【００３４】
もし、記録装置が、移行部を記録担体の中心から離れた位置に位置決めするようにすれば、小さなＥＣＣブロックの小ささに起因する非効率が、記録担体上で、より大きなＥＣＣブロックを使えばもっと効果的なエラー訂正能力が発揮でき、しかも、大きなＥＣＣブロックが１回転以上にわたることもないため、バーストエラーが２重に起こることもないはずの領域にまで広がってしまう。
【００３５】
したがって、大きなＥＣＣブロック１個分の長さが、第２環状セクションの内周縁にちょうど一致するような位置に移行部を位置決めすることで、エラー訂正能力と情報記憶の効率性の最適なバランスを実現できる。
【００３６】
プロセッサ手段は、エラー訂正手段に対して、ＥＣＣブロックが記録担体上に記録される位置に関する情報を供給するものである。この情報に基づいて、エラー訂正手段は、ＥＣＣブロックに適切なエラー訂正コードを付与した上で、プロセッサ手段にエラー訂正を含んだＥＣＣブロックを供給し、次にプロセッサ手段は、ＥＣＣブロックを記録担体上のどこに記録すべきかの指示も含めて、書き込み手段に対してＥＣＣブロックを供給する。書き込み手段は、その後記録担体上の指示された位置に、実際にＥＣＣブロックを記録する。記録担体は、書き込み手段にアドレス情報を供給するために、たとえば、記録担体の溝に埋め込んだウォブル（wobble）を有する。それによって、書き込み手段は、記録担体に記録するための指示された位置を検出することができる。
【００３７】
本発明による記録装置の実施例においては、プロセッサは、第１環状セクションに第１ＥＣＣブロックを記録する際には、エラー訂正手段から第１エラー訂正コードを有する第１ＥＣＣブロックを受け取るように構成し、さらに、プロセッサ手段は、第２環状セクションに第２ＥＣＣブロックを記録する際には、エラー訂正手段から第２エラー訂正コードを有する第２ＥＣＣブロックを受け取るよう構成し、しかも、第１エラー訂正コードは第２エラー訂正コードと同等のエラー訂正能力を持つものとする。
【００３８】
記録担体の第１および第２の環状セクションで同等のエラー訂正能力を実現するためには、小さなＥＣＣブロックは、増大したオーバーヘッドのため、より多くの冗長性を有して記録される。
【００３９】
これによって記憶容量が減少するものの、この減少は、第１環状セクションから第２環状セクションへの移行部の最適選択によって制限できる。
以下に、図面につき本発明を説明する。
【実施例１】
【００４０】
図１に、従来技術におけるＥＣＣ  ブロックのオーバーラップと、この結果生じるダブル（重複）バーストエラーを示す。記録担体１は、ＥＣＣブロック２を有する。ＥＣＣブロック２は中心から所定の半径に配置され、その長さは同一半径の円周の長さよりも大きい。すなわち、ＥＣＣブロックの第１セクション４は、ＥＣＣブロックの第２セクション５に隣接する。
【００４１】
表面の汚れまたは損傷がセクション４および５の両方を覆う領域３上にあると、第１セクション４および第２セクション５の双方でバーストエラーが生じることがある。すると、２個のバーストエラーが１個のＥＣＣブロックで生じることになる。
【００４２】
１個のエラー訂正コードは所定のエラー訂正能力しかもたないため、訂正可能なエラーの数は限られている。２個のバーストエラーが１個のＥＣＣブロックで起こる場合、エラー訂正コードは双方のバーストエラーを扱わなければならず、その結果、単独バーストエラーしか起こらない状況と比較して、ＥＣＣワードにおける他のエラーのために使えるエラー訂正能力は減少する。
【００４３】
図１は、ＥＣＣブロック２を、記録担体上における物理的な形状である円形形状で示したもの、および、ＥＣＣブロック２内におけるバーストエラー箇所のオーバーラップを線形的に示したものである。このサンプルでは、第１セクション内の第１のバーストエラーはＥＣＣブロックの始点近くに位置しており、第２セクション５内の第２のバーストエラーはＥＣＣブロックの終点近くに位置している。
【００４４】
図２は、記録担体上に、本発明のＥＣＣブロック・サイズを示したものである。図２のＥＣＣブロック２は、図１のＥＣＣブロック２と同一サイズであるが、記録担体１の中心からより離れたところに置かれている。従って、ＥＣＣブロック２のセクション間でオーバーラップが生じることはない。表面の汚れ５や記録担体の損傷によってひとつのＥＣＣブロック２内で２個のバーストエラーが生じることはなく、ＥＣＣブロック２の単独セクション５で単一のバーストエラーが生じるのみである。その結果、同一のエラー訂正コードによって訂正可能なエラーの数を増やすことができる。
【００４５】
図２は、ＥＣＣブロック２の長さが記録担体のちょうど一回転に一致している状況を示す。円６は、この状況になるときの記録担体上の位置を示す。この円６の外側にあるＥＣＣブロックは大きなＥＣＣブロック・サイズを使って記録するとともに、円６の内側にあるＥＣＣブロックは小さなＥＣＣブロック・サイズを使って記録する。これによって、単独の表面の汚れまたは記録担体の損傷によって、重複バーストエラーが生成されるのを防ぐことができる。円６の内側に記録される小さなＥＣＣブロックは、より良好なエラー訂正能力を持つエラー訂正コードを使用することによって保護することができる。このエラー訂正コードの提案は、「デュアルフォーマットＥＣＣエラー訂正インプリメンテーション」として以下に概要を述べる。
【００４６】
図３は、第１および第２の環状セクションに分割したものを示す。記録担体には、できるだけ多くのデータを記憶できるのが望ましい。記録担体に記憶できるデータ量の制約は、データ密度、書込可能領域の最大外径および最小内径である。最大外径は、記録担体の直径によって制限される。最小内径は、スピンドルに記録担体を固定するに必要なクランプ域によって制限される。従って、所定データ密度を有する所定サイズの記録担体では、記録担体の中心にできるだけ接近して記録できるのが望ましい。このことは、直径の小さな記録担体ではとくに言える。通常のＤＶＤ、青色レーザーディスク、ＣＤなどでは、クランプ域に近い内側領域は、記録担体の記憶容量の増加には小さな割合でしか寄与しないから、無視することができる。しかし、小さなディスクでは、クランプ域に近い内側の領域が、記録担体の全記憶容量との関係で、大きな割合を占める。
【００４７】
図３において、記録担体１は、第１環状セクション８および第２環状セクション７を有する。第１環状セクション８には、内周縁および外周縁６がある。第２環状セクション７は、第１環状セクションの外周縁とほぼ一致する内周縁を有する。第１環状セクション８におけるＥＣＣブロック・サイズは、第２環状セクションにおけるＥＣＣブロック・サイズよりも小さいため、第１環状セクション８から第２環状セクション７への移行部が存在する。この移行部の態様には、あるＥＣＣブロックと次のＥＣＣブロックとでＥＣＣブロック・サイズが急に変わるという場合または、たとえば空のままの中間領域が設けられる場合がある。したがって、２つの環状セクション７，８が直接隣接することは本発明にとって必須ではない。しかし、記録領域を最大限に活用するためには、第１環状セクション８から第２環状セクション７への移行部を最小化することが必要である。
【００４８】
図４に記録装置を示す。記録装置３０は、他のデバイスや高次アプリケーションから命令およびデータを受け取り、また記録担体からのデータおよび記録装置からのメッセージを他のデバイスや高次アプリケーションに供給するためのインターフェイス３２を有する。インターフェイス３２は、マイクロコントローラ、マイクロプロセッサあるいはゲートアレイとして実装されるプロセッサ３１に接続する。プロセッサ３１は、記録装置の種々のタスク、たとえばデータ処理、命令の構文解析、基本ビットエンジン３３の制御、キーボードとディスプレイ（図示せず）を介した操作者との授受などを扱う。プロセッサ３１は、エラー訂正コードをＥＣＣブロックに適用する調整も行う。このための２個のエラー訂正手段３５，３６を、図４に示す。各エラー訂正手段は、ＥＣＣブロックにエラー訂正コードを付与する構成とする。ＥＣＣブロックが記録担体上で記録される場所に応じて、プロセッサは、エラー訂正手段３５，３６のうちの一方に、ＥＣＣブロックのデータを与える。すると、エラー訂正手段は、データにエラー訂正コードを適用した上で、ＥＣＣブロックをプロセッサ３１に返す。プロセッサ３１は、記録担体３４上の特定アドレスにＥＣＣブロックを書き込むよう、書き込み手段、すなわち基本ビットエンジン３３に指示する。このようにして、プロセッサは、記録担体３４の環状セクションにおける、ＥＣＣブロックのサイズおよびエラー訂正コードを制御できる。もちろん、エラー訂正手段３５、３６をプロセッサ３１の外部に設けるかわりに、ソフトウエアもしくはハードウエアとしてプロセッサ３１に組み込むこともできる。また、２個のエラー訂正手段３５，３６の代わりに、データブロックに両方のエラー訂正コードを適用することができる単一のエラー訂正手段を使用することもできる。
【００４９】
デュアルフォーマットＥＣＣエラー訂正インプリメンテーション
使用できるＥＣＣの方式には、２タイプのＥＣＣブロックがある。
1.  ブルーレイディスクのエラー訂正ブロック
2.  第１タイプよりも短いエラー訂正ブロック。第１のものよりもオーバーヘッドは長いが同等のエラー訂正能力を備えており、３２キロバイトのデータを保持できる。
【００５０】
第１タイプのＥＣＣブロックはディスクの外側に、第２タイプのＥＣＣブロックはディスクの内側に使用する。
ディスクの周長がブルーレイディスクのＥＣＣブロックの長さに等しくなるような半径のところで切り替えを行う。
【００５１】
内側半径ＥＣＣブロックの記述
使用される用語は、ブルーレイディスク・システムの記述において使われる用語と類似している。
【００５２】
新しいエラー訂正フォーマットのフレームは、ブルーレイディスクのエラー訂正フォーマットのフレームに等しい（１５２ＬＤＣバイトおよび３ＢＩＳバイト）。
【００５３】
データブロック：
データブロックは、以下の〔表１〕に示す３０４×１０８のマトリクスに、それぞれ２０５２バイトの１６個のデータフレームを入れ込むことにより構成する。
【００５４】
【表１】
2007528088.tif 000003
【００５５】
ＬＤＣブロック：
ＬＤＣブロックは、以下の〔表２〕に示すデータブロックの各列に、３２個のパリティシンボルを付加することにより構成する。
【００５６】
【表２】
2007528088.tif 000004
【００５７】
ＬＤＣクラスタは、このＬＤＣブロックから２段階のインターリーブ・ステップを経て生成される。
【００５８】
第１のインターリーブ・ステップ：
第１インターリーブ・ステップにおいて、ＬＤＣデータブロックの２個の列が、以下の〔表３〕に示すようにＬＤＣクラスタの１個の列に統合される。
【００５９】
【表３】
2007528088.tif 000005
【００６０】
第２のインターリーブ・ステップ：
第２のインターリーブ・ステップでは、各行は、２行を１個のグループとして、周期的に左にシフトする。シフトは、最初の２行で０からはじまり、行のグループごとに３ずつ増やされる。これは、ブルーレイディスク（ＢＤ）フォーマットにおける第２のインターリーブ・ステップとほぼ同じである。
【００６１】
ＢＩＳ列
ＥＣＣブロックの各行は、３個のＢＩＳ列を含む。ＥＣＣブロックの２７９個の行を、それぞれ３１行から成る９個のアドレス・ユニットに分ける。ＢＩＳクラスタの各ユニットのはじめの３行は、９バイトのアドレス・フィールドを含む。残りの行は、ユーザーコントロールバイト（ＵＣバイト、１６×１８バイト）およびパリティバイト（１８×２６バイト）を含む。
【００６２】
【表４】
2007528088.tif 000006
【００６３】
【表５】
2007528088.tif 000007
【００６４】
各ＢＩＳ列は、９個のＲＳ（４７，２１，２７）コード語（０〜８）と、９個のＲＳ（４６，２０，２７）コードワード（９〜１７）をインターリーブすることにより構成する。
【００６５】
【表６】
2007528088.tif 000008
【００６６】
各アドレス・ユニット（Ａ．Ｕ．）では、３行をひとつのグループとして、行を周期的に左へシフトする。シフトは、最初の３行から成るグループの０からスタートし、次のグループに移るごとに１ずつ増加する。このシフトは、ＢＩＳクラスタの図には示していないことに注意されたい。
【図面の簡単な説明】
【００６７】
【図１】従来技術におけるＥＣＣ  ブロックのオーバーラップと、それによって生じるダブル（重複）バーストエラーを示す説明図である。
【図２】本発明におけるＥＣＣブロック・サイズと記録担体との関係を示す説明図である。
【図３】第１および第２の環状セクションに分割した説明図である。
【図４】記録装置の説明図である。
【符号の説明】
【００６８】
１  記録担体
２  ＥＣＣブロック
３  領域
４  第１セクション
５  第２セクション
６  円
７  第２環状セクション
８  第１環状セクション
３１  プロセッサ
３２  インターフェイス
３３  基本ビットエンジン
３４  記録担体
３５  エラー訂正手段
３６  エラー訂正手段
【図１】
2007528088.tif 000009
【図２】
2007528088.tif 000010
【図３】
2007528088.tif 000011
【図４】
2007528088.tif 000012
【国際調査報告】
2007528088.tif 000013
2007528088.tif 000014
2007528088.tif 000015
2007528088.tif 000016
2007528088.tif 000017